(57)【要約】  本発明は、環状のステータユニット（１０）と、環状のロータユニット（３０）と、ベースプレート（５０）とを有する駆動装置（１）に関する。ステータユニット（１０）は、コイルコア（１２）とコイルボビン（１３）とを有する少なくとも３つのコイル（１１）を有する。ロータユニット（３０）は、ステータユニット（１０）に収容空間（１４）を形成する軸受ユニット（３１）を有する。本発明によれば、ベースプレート（５０）上にコイルコア（１２）と軸受ユニット（３１）とが立設されている。また、本発明は、このような駆動装置（１）を有するスピンウインドウ（１００）に関し、ロータユニット（３０）には、ペイン（１１０）が配置される。【選択図】  図１
2021525501.tif 000002
【特許請求の範囲】
【請求項１】
環状のステータユニット（１０）と、環状のロータユニット（３０）と、ベースプレート（５０）とを有する駆動装置（１）において、
前記ステータユニット（１０）は、コイルコア（１２）及びコイルボビン（１３）を有する少なくとも３つのコイル（１１）を有し、前記ロータユニット（３０）は、軸受ユニット（３１）を有し、前記コイル（１１）は、前記ステータユニット（１０）内に収容空間（１４）を形成し、前記コイルコア（１２）及び前記軸受ユニット（３１）は、前記ベースプレート（５０）に立設されることを特徴とする駆動装置（１）。
【請求項２】
前記ロータユニット（３０）は、軸方向（Ａ）において前記コイル（１１）に対して同心に配置され、前記軸受ユニット（３１）と共に前記収容空間（１４）内に少なくとも部分的に突出することを特徴とする、請求項１に記載の駆動装置（１）。
【請求項３】
前記コイルボビン（１３）は、少なくとも部分的にプリント回路基板（６０）上に配置され、前記プリント回路基板（６０）は、前記ベースプレート（５０）上に載置され、凹部（６１）を有することを特徴とする、請求項１〜２のいずれか一項に記載の駆動装置（１）。
【請求項４】
前記コイルコア（１２）は、前記凹部（６１）の領域において突起（１５）を介して接続され、少なくとも１つのコイルコア要素（１６）を形成することを特徴とする、請求項１〜３のいずれか一項に記載の駆動装置（１）。
【請求項５】
前記プリント回路基板（６０）は、開ループおよび／または閉ループ制御回路（６２）を有することを特徴とする、請求項３または４に記載の駆動装置（１）。
【請求項６】
前記コイルボビン（１３）及び前記開ループ及び／又は閉ループ制御回路（６２）は、実質的に１つの平面上に配置されることを特徴とする、請求項５に記載の駆動装置（１）。
【請求項７】
前記軸受ユニット（３１）は、支持要素（３２）を有し、前記支持要素（３２）は、前記コイル（１１）の前記ベースプレート（５０）とは反対側において、前記コイル（１１）を少なくとも部分的に覆って径方向（Ｒ）に延在する接触領域（３３）を有し、少なくとも３つの永久磁石（３４）が前記支持要素（３２）上に配置され、前記永久磁石（３４）は、円形リングセグメントの形状であることを特徴とする、請求項１〜６のいずれか一項に記載の駆動装置（１）。
【請求項８】
前記軸方向（Ａ）において、前記接触領域（３３）と前記コイル（１１）との間に隙間（Ｓ）が形成されていることを特徴とする、請求項７に記載の駆動装置（１）。
【請求項９】
前記プリント回路基板（６０）、前記コイル（１１）、前記ベースプレート（５０）は、ポッティング化合物（７０）でポッティングされることを特徴とする、請求項１〜８のいずれか一項に記載の駆動装置（１）。
【請求項１０】
請求項１〜９のいずれか一項に記載の駆動装置（１）を有するスピン窓（１００）であって、前記ロータユニット（３０）には、ペイン（１１０）が配置されていることを特徴とする、スピン窓（１００）。
【請求項１１】
前記ペイン（１１０）は、前記接続プレート（１１１）とカバーキャップ（１１２）との間で前記ロータユニット（３０）上に保持され、前記接続プレート（１１１）および前記カバーキャップ（１１２）は、前記ロータユニット（３０）に接続されることを特徴とする、請求項１０に記載のスピン窓（１００）。
【請求項１２】
前記ペイン（１１０）は、その径方向外周（１１４）に円周カラー（１１５）を有することを特徴とする、請求項１０または１１に記載のスピン窓（１００）。
【請求項１３】
前記カラー（１１５）は、軸方向（Ａ）に突出する径方向に周方向の案内溝（１１６）を有し、前記案内溝は、前記スピン窓（１００）の環状ベース本体（１２０）の案内突起（１２１）と係合し、前記案内溝（１１６）および前記案内突起（１２１）は接触しないことを特徴とする、請求項１２に記載のスピン窓（１００）。
【請求項１４】
前記駆動装置（１）の前記ベースプレート（５０）は、前記環状ベース本体（１２０）の内径（１２２）に配置され、前記環状ベース本体（１２０）内で径方向内向きに突出することを特徴とする、請求項１〜１３のいずれか一項に記載のスピン窓（１００）。
【請求項１５】
前記駆動装置（１）の前記ベースプレート（５０）のために、前記環状ベース本体（１２０）に向かって突出するカバーハウジング（１３０）が設けられ、前記駆動装置（１）の前記ロータユニット（３０）が、少なくとも部分的に前記カバーハウジング（１３０）を通って突出することを特徴とする、請求項１〜１４のいずれか一項に記載のスピン窓（１００）。
【発明の詳細な説明】
【技術分野】
【０００１】
本発明は、請求項１の前文に記載の駆動装置、及び請求項１０の前文に記載の駆動装置を有するスピン窓に関する。
【０００２】
沈殿によって観察が妨げられる場所では、ペイン（panes）または観察窓上でスピン窓または回転観察窓が使用される。これは、例えば、輸送業界の工作機械や観察窓の場合である。いずれのシナリオにおいても、大量の液体、例えば雨、波、または工作機械の場合には冷却剤が観察窓に規則的に堆積される。これにより、観察窓による観察が妨げられる。
【０００３】
このような観察窓を通して見ることができることを保証する１つの方法は、スピン窓を設置することである。スピン窓は、高速で回転するペインを有する。ペインに堆積した液体または汚れは、ペインの回転運動によって加速され、遠心力によって径方向外向きに移動する。これにより、沈殿が速やかに除去される。したがって、新たに生じた沈殿は、スピン窓から迅速に移動され、動作中のスピン窓を通して、遮るもののない観察が可能になる。
【０００４】
そのため、スピン窓は、一般に円形の設計を有し、通常の観察窓または機械ハウジングに組み込まれて、沈殿量が増加した場合の観察を可能にする。沈殿がない場合や沈殿が少ない場合には、通常の観察窓の方が観察面積が広くなるので、通常は他の方法（例えばウインドウワイパー）を用いて観察窓を洗浄する。冷却剤を使用する工作機械を使用する場合、冷却剤、切粉等により多量の沈殿が発生し、動作中に観察窓による観察が妨げられる。この場合、観察窓又は機械ハウジング内にスピン窓を設けることが有益である。
【０００５】
特に、スピン窓上の特に強い沈殿の場合、ウインドウの駆動装置によって与えられる遠心力は、沈殿を除去するのに十分でなければならない。特に短時間に多量の沈殿がある場合は、重い沈殿と考えられる。加えて、粘性の沈殿、またはチップと混合された工作機械からの冷却剤のような流体と固体成分との混合物は、スピン窓に高い要求を課すことができる。
【０００６】
スピン窓は、例えば、DE34 144 87A1およびDE35 32 362A1から知られている。スピン窓の中心に配置された種々のタイプの駆動装置、例えば同期電気モータ、非同期モータ、空気圧モータまたは油圧モータが駆動のために設けられている。駆動装置は、スピン窓の中心領域を覆うので、視野を減少させる。加えて、モータは、窓を斜めに見た場合に、スピン窓による観察を妨げる一定の全高を有する。さらに、駆動装置は、ペインを回転させるのに必要なエネルギを供給するために、通常、スピン窓を横切って径方向に延びるリード線を必要とする。駆動装置の全高のため、互いに実質的に平行に変位させることができる観察ペイン内でスピン窓を使用することは、これまで困難であったか又は不可能であった。
【０００７】
しかしながら、中央駆動装置を有するスピン窓の動作は、構造的に好ましく、中央モータ配置を有するスピン窓は、長寿命であり、故障しにくいので、普及していた。
【発明の概要】
【０００８】
本発明は、駆動装置の全高およびエネルギ効率を改善し、このような駆動装置を有するスピン窓を提供することを目的とする。
【０００９】
本発明の主な特徴は、請求項１の特徴部と請求項１０の特徴部に記載されている。
【００１０】
実施形態は、請求項２〜９および１１〜１５の対象である。
【００１１】
本発明に係る駆動装置は、環状のステータ部と、環状のロータユニットと、ベースプレートとを有し、ステータユニットは、コイルコアとコイルボビンとを有する少なくとも３つのコイルを有し、ロータユニットは、軸受ユニットを有し、コイルは、ステータユニットに収容空間を形成し、コイルコアおよび軸受ユニットがベースプレートに立設されている。
【００１２】
したがって、駆動装置は、特に、電気駆動装置、すなわち電気モータとして設計することができる。特に、軸受ユニット及び／又はコイルコアは、ベースプレートに立設されている。これは、駆動装置の全高が特に低いという利点を有する。また、ベースプレート上にステータユニットのコイルコアと軸受ユニットとを一体に配置することにより、ベースプレートと軸受ユニットとロータユニットとの接触表面とを高精度に製造することができるので、ステータユニットのコイル又はコイルコアと軸受ユニット又はロータユニットとの位置合わせが正確に行えるという利点がある。
【００１３】
したがって、ロータユニットとステータユニットとの間隔を特に小さくすることができ、その結果、全高をさらに低くすることができ、同時に駆動装置の効率を高めることができる。このようにして、駆動装置に対して高トルクが達成され、その結果、駆動装置がスピン窓内で使用されるときに、大量の直接的な冷却剤の衝突に対して高トルクが提供される。
【００１４】
軸方向から見たとき、好ましい実施形態におけるコイルコアは、径方向内向きにテーパが付けられた形状を有する。特に、コイルコアは、円形リングセグメントの形状である。これにより、環状のステータユニット内または駆動装置内でのコイルコアの配置を特に省スペース化できる。
【００１５】
更なる実施形態によれば、ロータユニットは、コイルに対して軸方向に同心状に配置され、軸受ユニットとともに少なくとも一部が収容空間に突出する。このロータユニットとステータユニットを入れ子にすることにより、駆動ユニットの全高をさらに有利に減少させることができる。
【００１６】
本発明の別の実施形態によれば、コイルボビンは、少なくとも部分的にプリント回路基板上に配置される。この場合、プリント回路基板はベースプレート上に載置され、凹部を有することが好ましい。コイルボビンをプリント回路基板上に配置することにより、コイルボビンに巻き付けることができるコイル巻線を、駆動ユニットの開ループ又は閉ループ制御電子機器に特に容易に接続することができる。プリント回路基板がベースプレート上に載置され、特に好適な実施形態ではプリント回路基板がベースプレート上に直接載置されるので、駆動ユニットに利用可能な設置スペースは有利な態様で最適に利用される。
【００１７】
さらに好ましい実施形態によれば、コイルコアは、プリント回路基板を通って凹部の領域に突出する。これにより、プリント回路基板とコイルコアの両方がベースプレート上に直立することが確実にされる。好ましい実施形態において、コイルコアによって画定される外周はプリント回路基板の凹部の内周に対応し、コイルコアはプリント回路基板と積極的な係合状態にある。これにより、駆動ユニットに必要な設置スペースが有利に最小化される。本発明の別の実施形態によれば、コイルボビンは、少なくとも部分的に凹部を越えて突出する。特に、コイルボビンは、凹部を越えて径方向に突出する。これにより、ステータユニットのコイルに対して、軸受ユニットの径方向内向きに利用可能な駆動ユニットの設置スペースを有効に利用することができる。
【００１８】
別の実施形態において、コイルコアは、突出部を介して凹部の領域内で接続され、少なくとも１つのコイルコア要素を形成する。さらに別の実施形態において、コイルボビンは、少なくとも部分的にコイルコア要素の上方に配置することができる。また、突起は、ベース本体上に載置され、ベース本体に対向する側でコイルコアを接続してもよい。さらに、突起は、ベース本体上に直接載置されてもよい。突起は、コイルコア要素の外周を形成することができる。好ましい実施形態において、突起は、コイルコアと共にコイルコア要素の外周を形成する。本発明の別の実施形態において、突起はコイルコアと同じ材料を有する。本発明の別の実施形態において、コイルコア要素は、単体または１つの部品として設計される。対応するコイルコア要素を設けることにより、ステータの機械的安定性が向上する。また、突起によって磁気反転や渦電流による効率損失が低減されるので、コイルコアを接続することにより、駆動装置の効率が向上する。
【００１９】
本発明の一実施形態において、プリント回路基板は、開ループおよび／または閉ループ制御回路を有する。したがって、本発明のさらに構造的に好適な実施形態において、コイルボビンおよび開ループおよび／または閉ループ制御回路は、実質的に１つの平面上に配置される。この平面は、好ましくは、ベースプレートの側部によって形成される。このようにして、開ループおよび／または閉ループ制御回路は、コイルボビンに特に近接して、したがってコイルにも特に近接して配置することができる。これは、開ループおよび／または閉ループ制御回路とコイルとの間の起こり得るライン損失に関して有利な効果を有する。さらに、コンパクトな駆動装置に関しては、設置スペースの利用が最適である。
【００２０】
別の実施形態において、開ループおよび／または閉ループ制御回路は、別のプリント回路基板上に配置される。代替の実施形態によれば、プリント回路基板を駆動装置に対して柔軟に配置することができ、駆動装置の空間構成の柔軟性の点で有利である。
【００２１】
本発明の有利な実施形態において、軸受ユニットは支持要素を有することができる。設計に関して、支持要素は、任意に、ベースプレートとは反対側のコイルの側に、少なくとも部分的にコイル上を径方向に延びる接触領域を有することができる。本発明のさらに有利な実施形態において、少なくとも３つの永久磁石が支持要素上に配置される。好ましい実施形態において、永久磁石は円形リングセグメントの形状である。このようにして、永久磁石は、特に省スペースで環状ロータユニットの支持要素に近接して配置することができる。
【００２２】
永久磁石がコイルに対向する側の接触領域に配置されることにより、全高が特に低いディスクモータの構成となる。任意の実施形態において、少なくとも３つの永久磁石は、支持要素内に静止している。本発明は、軸方向において、接触領域とコイルとの間に隙間が形成されている点でさらに進化されている。特に有利な実施形態において、径方向に延びる接触領域の間の隙間は、駆動装置の高い効率を達成すると同時に全高の低減を達成するために、できるだけ小さく設計される。別の実施形態において、永久磁石と永久磁石に面するコイルの側部との間の隙間は１ｍｍ未満、好ましくは０．１ｍｍ未満である。これらの実施形態において、隙間は、ベースプレートと平行に径方向に延びている。
【００２３】
本発明の任意の実施形態によれば、回転できない軸受ボルトを用いて軸受ユニットがベースプレート上に立っていると構造的に有利である。これにより、駆動装置の安定性が向上する。軸受ボルトは、締結手段によって、特にねじによって、ベースプレートのコイルとは反対側からベースプレートにねじ止めされる。本発明の別の実施形態において、少なくとも１つの玉軸受が軸受ボルトと支持要素との間に配置される。このようにして、支持要素は、有利な方法で、特に低摩擦で、ベースプレートから回転が切り離される。
【００２４】
別の実施形態によれば、コイルは軸方向に位置合わせされる。特に、これにより、軸方向に垂直に延びるコイルが、その最上部で支持要素と平行に延びることが保証される。これは、隙間を特に小さく設計できるという利点を有する。
【００２５】
好ましい実施形態によれば、プリント回路基板および／またはコイルおよび／またはベースプレートは、ポッティング化合物で鋳造される。さらに好ましい実施形態によれば、ポッティング化合物は高い熱伝導率を有する。プリント回路基板、コイルおよびベースプレートをポッティングすることによって、激しい振動があっても構成要素を互いに移動させることができないので、駆動装置の防爆が達成される。さらに、熱伝導性のポッティング化合物の使用は、プリント回路基板またはコイルとベースプレートとの間の良好な熱接触を生じさせる。これにより、駆動装置を容易に冷却することができる。このことは、個々の構成要素が過熱することなく、特に高いトルクを達成するために、駆動装置を高電力で動作させることができるという更なる利点が生じる。また、駆動装置の電子構成要素は全て封入されているので、保守性よく交換することができる。別の実施形態によれば、ベースプレートは熱伝導性材料を有することができる。
【００２６】
本発明はさらに、前記ロータユニットにペインが配置されることを特徴とする、先の請求項のいずれかに記載の駆動装置を有するスピン窓に関する。本発明の駆動装置を備えたスピン窓は、全高が低い。ペインは、好ましくは円形であり、沈殿に曝されるスピン窓の側部に配置される。さらに好ましい実施形態では、ペインは、この側部に耐衝撃性および／または耐スクラッチ性のコーティングおよび／またはオーバーレイを備える。ペインは、セラミック製の透明コーティングを備えることができる。これは、より抵抗の少ない材料からペインを製作でき、ペインの全体の質量を低減することができるという利点を有する。この結果、同じモータ電力を有するスピン窓の洗浄効果を高められる。同様に、ペインの場合の質量の節約のために、それに対応して駆動装置をより小さく寸法を決めることができ、これは、駆動装置による全高および観察領域の被覆に関して有利である。
【００２７】
沈殿の反対側において、スピン窓は、剛性の別のペインを有することができる。この別のペインは、観察者に面する側に取り付けられ、積層安全ガラス、強化安全ガラス、透明セラミック、または任意にこのような透明セラミックでコーティングされたガラスから構成されてもよい。第２ペインは、有利には、回転可能なペインからスピン窓の観察者を保護する。さらに、第２ペインを設けることによって、スピン窓のセキュリティが向上する。
【００２８】
スピン窓の対応する設計は、スピン窓の全高を低くすることができる点で有利である。スピン窓の全高は、５０ｍｍ未満、さらなる実施形態では４０ｍｍ未満、別の実施形態では３２ｍｍ未満であってもよい。本発明による回転窓を設計することによって、４１０ｍｍ2以上の可視面積を達成することができ、駆動装置の駆動電力は、ペイン又はスピン窓を沈殿から解放するのに十分である。
【００２９】
別の実施形態において、ペインは、接続プレートとカバーキャップとの間でロータユニット上に保持され、接続プレートとカバーキャップはロータユニットに接続される。接続プレートによってロータユニットに対してより自由にペインを配置することができるので、接続プレートを設けることにより構造上の利点が生じる。別の実施形態において、環状シールがカバーキャップとペインとの間に配置される。このシールは、沈殿がスピン窓の内部領域に入ったり、スピン窓を通過したりすることがないことを保証する。
【００３０】
別の実施形態において、ペインは、その径方向外周に円周カラーを有する。カラーは、スピン窓上の沈殿物が、その円周に沿ってでさえも、スピン窓の内部領域に入ることができず、スピン窓を通過することさえできないことを確実にする。任意の更なる実施形態において、カラーは、円周方向の案内溝を有し、その案内溝は、軸方向に突出し、スピン窓の環状ベース本体の案内突起と係合する。従って、案内溝および案内突起は、ラビリンスシールを形成し、スピン窓の密閉性を改善するという点で有利である。本発明の有利な実施形態において、案内溝および案内突起は、接触していなくてもよい。回転窓の環状ベース本体は、例えば、観察ペイン又は機械カバーの１つに取り付けられる。したがって、環状ベース本体は駆動装置によって回転させることができない。環状ベース本体は、好ましくは、硬質陽極処理されたアルミニウムで作られる。したがって、環状ベース本体は、チップ、特に金属チップがスピン窓に当たる環境での使用にも適している。
【００３１】
設計上、駆動装置のベースプレートは、任意に、環状ベース本体の内径に配置され、環状ベース本体内で径方向内向きに突出する。この結果、駆動装置がスピン窓の領域から突出しないという利点がある。一実施形態において、環状のベース本体に向かって突出するカバーハウジングが駆動装置のベースプレートに設けられ、駆動装置のロータユニットはカバーハウジングを通って少なくとも部分的に突出する。さらに好ましい実施形態において、カバーハウジングは、硬質陽極処理されたアルミニウムで作られる。本発明は、ベースプレートとカバーハウジングとの間にシールが配置されている点でさらに進化されている。その結果、カバーハウジングとベースプレートとの間にある駆動装置の要素は、この領域に入る可能性のある、いかなる沈殿物からも保護される。
【００３２】
回転窓の接続を簡単にするために、環状ベース本体が駆動装置へのリード線のための通路を有すると有利である。
【００３３】
本発明のさらなる特徴、詳細、および利点は、特許請求の範囲の記載および図面を介した以下の実施形態の説明から明らかになるであろう。
【図面の簡単な説明】
【００３４】
【図１】図１は、駆動装置の概略的な分解図である。
【図２】図２は、スピン窓における駆動装置の概略的な断面図である。
【図３】図３は、スピン窓の断面図である。
【図４】図４は、スピン窓の概略的な断面図である。
【図５】図５は、スピンウィン層の概略的な分解図である。
【発明の詳細な説明】
【００３５】
以下では、同様または同一の要素には同一の参照符号が付されている。
【００３６】
図１は、駆動装置１の分解図である。駆動装置１は、ステータユニット１０、ロータユニット３０、ベースプレート５０、少なくとも１つのプリント回路基板６０，６０’から構成される。ベースプレート５０は、円形部分５４と矩形部分５５とを有するキーホール形状を有する。ベースプレート５０は、熱伝導性材料を備える。
【００３７】
ステータユニット１０及びロータユニット３０は、実質的に環状である。ステータユニット１０は、少なくとも３つのコイル１１を有する。コイル１１は、コイルコア１２とコイルボビン１３とから形成されている。コイルコア１２は、軸方向Ａに沿ってコイルボビン１３内に押し込まれている。このため、コイルボビン１３には、軸方向Ａに沿って延びる凹部１７を有する。コイルコア１２は、径方向Ｒで内向きにテーパが付けられた形状を有する。
【００３８】
コイル１１は、ステータユニット１０内に収容空間１４を形成する略環状に配置されている。コイルコア１２は、ベースプレート５０上に立設されるか、ベースプレート５０に対して平坦に位置している。収容空間１４は、半径方向Ｒから見て、ベースプレート５０の円形部分５４と同心である。
【００３９】
コイルコア１２は、突起１５を介して接続され、少なくとも１つのコイルコア要素１６を形成する。この実施形態において、コイルコア要素１６は、環状の閉じたリングとして設計され、収容空間１４の領域に環状の凹部を有する。
【００４０】
コイルボビン１３の周囲にはコイルワイヤが巻回されている。コイルボビン１３は、プリント回路基板６０，６０’上に少なくとも部分的に配置される。
【００４１】
プリント回路基板６０，６０’は、ベース本体５０上に配置されるか、またはベース本体５０上に平坦に横たわる。プリント回路基板６０，６０’は、ステータユニット１０のコイル１１によって形成される収容空間１４の領域内に凹部６１を有する。コイルコア１２は、凹部６１の領域でプリント回路基板６０，６０’を通って突出する。
【００４２】
プリント回路基板６０，６０’は、開ループおよび／または閉ループ制御回路６２を有する。この開ループおよび／または閉ループ制御回路６２は、プリント回路基板６０，６０’に導入された導体経路によって互いに電気的に接続された一つ又は複数の電子構成要素によって形成される。開ループ及び／又は閉ループ制御回路６２は、駆動装置１を制御及び／又は調整するために使用される。この場合、開ループおよび／または閉ループ制御回路６２は、コイルボビン１３と共に実質的に平面上に配置される。開ループおよび／または閉ループ制御回路６２は、プリント回路基板６０，６０’のベースプレート５０とは反対側に実質的に配置される。
【００４３】
コイルボビン１３は、プリント回路基板６０，６０’の凹部６１を少なくとも部分的に越えて突出する。コイルボビン１３は、ベースプレート５０から見て、プリント回路基板６０，６０’のベースプレート５０とは反対側に配置されている。コイルボビン１３は、プリント回路基板６０，６０’上に平坦に位置している。
【００４４】
プリント回路基板６０，６０’は、ベースプレート５０内に静止している。このため、ベースプレート５０は、その周囲がベースプレート５０の外周５６と実質的に平行に延びる凹部５１を有する。プリント回路基板６０，６０’は、凹部５１に対応する輪郭６３を有する。コイルコア要素１６又はコイルコア１２が位置する領域において、凹部５１は、コイルコア要素１６の外周に実質的に対応する環状窪み５２を有する。
【００４５】
駆動装置１の組み付け状態において、コイルコア要素１６は、コイルコア要素１６のコイルコア１２とコイルボビン１３とによってコイル１１が形成されるように、コイルコア１２と共にコイルボビン１３内に押し込まれる。この結果、コイルボビン１３の少なくとも一部がコイルコア要素１６の上方に配置される。
【００４６】
ロータユニット３０は、軸受ユニット３１を有する。ロータユニット３０は、この軸受ユニット３１によってベースプレート５０に対して回転自在に支持されている。軸受ユニット３１の一部は、回転できないようにベースプレート５０に接続されている。軸受ユニット３１の他の部分は、ベースプレート５０に対して回転できる。軸受ユニット３１は、ベースプレート５０上に立設されているか、またはベースプレート５０に対して平坦に横たわる。
【００４７】
ロータユニット３０は、ステータユニット１０に対して軸方向Ａに挿入される。ロータユニット３０は、コイル１１に対して軸方向Ａに同心円状に配置されている。ここで、ロータユニット３０は、軸受ユニット３１と共にステータユニット１０の収容空間１４内に突出している。
【００４８】
ロータユニット３０は、支持要素３２と軸受ボルト３５とを有する軸受ユニット３１を有する。
【００４９】
軸受ユニット３１の軸受ボルト３５は、軸部３７と、接触フランジ３８とを有している。接触フランジ３８は、ベースプレート５０と接触しており、ベースプレート５０の円形部分５４の中央に立っている。ベースプレート５０の円形部分５４の、この中央領域において、環状窪み５２は、その周囲の周りに接触フランジ３８を囲む環状凹部５３を有する。軸受ボルト３５は、回転できないようにベースプレート５０上に立設され、ねじ等の固定手段によってベースプレート５０に接続されている。
【００５０】
ベースプレート５０から見て、軸受ボルト３５のシャフト部３７は、環状凹部５３の上方に位置している。環状凹部５３の最上部は、一方ではコイルボビン１３がプリント回路基板６０，６０’に、また環状凹部５３の最上部に載置されるように、プリント回路基板６０，６０’の最上部と共に実質的に平面内にある。
【００５１】
軸受ユニット３１の支持部材３２は、径方向Ｒに延びる接触領域を有する。接触領域３３は、コイル１１のベースプレート５０とは反対側に置かれ、コイル１１の上方に延びている。接触領域３３は、コイル１１から離間しており、コイル１１と接触していない。永久磁石３４は、軸受ユニット３１の支持要素３２上、特に、コイル１１に対して半方向に延びる接触領域３３に配置される。前記永久磁石３４は、少なくとも部分的に支持要素３２内に静止、または支持要素３２内で静止している。永久磁石３４を静止させる場合、このため、支持要素３２は対応する凹部を有する。永久磁石３４は、径方向内向きにテーパが付けられた円錐形状を有する。
【００５２】
接触領域３３または永久磁石３４とコイル１１との間には、軸方向Ａに隙間Ｓが形成されている。
【００５３】
少なくとも１つの玉軸受３６が、軸受ボルト３５と支持要素３２との間に配置される。支持要素３５は、軸方向Ａに延びるフランジ部分３９を有する。玉軸受３６は、径方向Ｒから見て、軸受ボルト３５の軸部３７と支持要素３２のフランジ部分３９との間に配置されている。このようにして、支持要素３２は軸受ボルト３５から切り離される。
【００５４】
図２は、駆動装置１の更なる実施形態を示す断面図であり、開ループ及び／又は閉ループ制御回路６２は、更なるプリント回路基板６０’上に配置され、コイルボビン１３は、更なるプリント回路基板６０’とは別個のプリント回路基板６０上に配置される。図１による実施形態において、開ループおよび／または閉ループ制御回路６２ならびにコイル１１またはコイルボビン１３のために、一体型プリント回路基板６０が設けられる。
【００５５】
更なるプリント回路基板６０’は、ベースプレート５０の矩形部分５５内にあるベースプレート５０の凹部５１の一部内で静止している。プリント回路基板６０は、ベースプレート５０の円形部分５４にあるベースプレート５０の凹部５１の一部内で静止している。
【００５６】
それ以外は、図２に示す駆動装置１の実施形態は、図１に示す実施形態に対応する。
【００５７】
コイルコア要素１６は、ベースプレート５０の凹部５１内に置かれる。コイルコア１２は、軸方向Ａでベースプレート５０から離れて延びている。軸受ボルト３５は、ベースプレート５０の円形部分５４の中央領域にある環状窪み５２内の接触フランジ３８に当接する。図２では、軸受ボルト３５のフランジ部分３８のベースプレート５０と反対側の部分、突起１５のベースプレート５０と反対側の側面、プリント回路基板６０のベースプレート５０と反対側の側面が、環状凹部５３の最上部と共に平面上にあることが非常に明確に分かる。コイルボビン１３は、プリント回路基板６０の最上面、突起１５の最上面、環状凹部５３の最上面に立設されている。
【００５８】
また、図２から、径方向Ｒの内側から見たときに、軸受ボルト３５のシャフト部３７が玉軸受３６に囲まれていることが非常に明確に分かる。玉軸受３６は、支持要素のフランジ部分３９によって囲まれている。軸受ボルト３５は、締結手段、この場合はねじによってベースプレート５０にねじ止めされており、回転不能に固定されている。
【００５９】
支持要素３２は、玉軸受３６によってベースプレート５０から切り離され、その結果、軸受ユニット３１またはロータユニット３０を回転させることができる。
【００６０】
また、図２に示すように、支持体３２の径方向Ｒに延びる一部には、永久磁石３４が配置されている。永久磁石３４は、ベースプレート５０、プリント回路基板６０、突起１５、コイルボビン１３またはコイル１１の最上部と実質的に平行に配置されている。
【００６１】
コイル１１の最上面、すなわちコイル１１のベースプレート５０とは反対側の面と、永久磁石３４または支持要素３２との間には隙間Ｓが配置されている。
【００６２】
同様に、コイル１１と支持要素３２のフランジ部分３９との間には、径方向Ｒに環状の隙間ＲＳが配置されている。これにより、ベースプレート５０に接続された強固なステータユニット１０は、周方向に回転可能なロータユニット３０から完全に回転できるように切り離される。
【００６３】
図２において、駆動装置のアセンブリは、ロータユニット３０及びステータユニット１０の領域にも見られる。
【００６４】
コイルコア１２は、突起１５によってコイルコア要素１６に接続されている。このコイルコア要素１６は、ベース本体５０内で静止している。突起１５の最頂部およびプリント回路基板６０の最上部は、図３には見えない環状凹部５３の最上部と実質的に平面上にある。コイルボビン１３は、プリント回路基板６０と突起１５と環状凹部５３との間の平面に立設されている。
【００６５】
さらに、図２は、支持要素３２を示し、その中には、永久磁石３４が少なくとも部分的に静止している。永久磁石３４は、プリント回路基板６０または突起１５の平面に対して実質的に平行である。
【００６６】
支持要素３２またはロータ装置３０は、その周方向に回転可能であり、回転できないようにベースプレート５０に接続された軸受ボルト３５および玉軸受３６によって、ベースプレート５０から回転が切り離される。
【００６７】
すべての実施形態において、プリント回路基板６０，６０’、コイル１１、ベースプレート５０は、ポッティング化合物７０（図示せず）でポッティングされてもよい。ポッティング化合物７０は、高い熱伝導率を有する。
【００６８】
スピンウインドウ１００の一実施形態を図３および図４に示す。
【００６９】
図３は、上述した実施形態のうちの１つによる駆動ユニット１を有するスピンウインドウ１００の断面図である。図５は、前述した実施形態の一つによるスピン窓１００の分解図である。以下に説明するスピンウインドウ１００については、図４および図５を共に参照する。駆動ユニット１のロータユニット３０には、ペイン１１０が配置されている。ペイン１１０は実質的に円形である。
【００７０】
ペイン１１０は、接続プレート１１１とカバーキャップ１１２との間でロータユニット３０上に保持され、接続プレート１１１およびカバーキャップ１１２は、ロータユニット３０、特にロータユニットの支持要素３２に接続される。環状シール１１３は、カバーキャップ１１２とペイン１１０との間に配置される。
【００７１】
ペイン１１０は、透明な材料、例えば透明なプラスチック材料またはガラスで作られ、合わせ安全ガラスまたは強化安全ガラスがガラスとして特に適している。ペイン１１０は、２層で構成されてもよい。例えば、ペイン１１０は、ベースプレート５０とは反対側に支持体を有する。支持体は、例えば、耐引掻性および耐衝撃性の透明セラミックの層であってもよい。支持体は、特に、結合層によってペイン１１０に接続されてもよい。接着層としては、支持体をペイン１１０に積層するラミ加工層が考えられる。択一的に、ペイン１１０は、ベースプレート５０とは反対の側で、例えば耐引掻性および耐衝撃性のコーティングで覆われてもよい。
【００７２】
ペイン１１０は、径方向Ｒに置かれる外周１１４に、周方向のカラー１１５を有する。カラー１１５は、軸方向Ａに突出する、径方向に周方向案内溝１１６を有し、この案内溝１１６は、スピン窓１００の環状ベース本体１２０の案内突起１２１と係合する。案内溝１１６は、ベース本体の案内突起と接触しない。
【００７３】
接続プレート１１１は、横断面がＬ字形である。Ｌ字形横断面の短辺は、プリント回路基板６０，６０’に対して軸方向Ａにおいてコイル１１を囲む。接続プレート１１１は、そのＬ字形横断面の長辺が支持要素３２とペイン１１０との間、または支持要素３２とカバーキャップ１１２との間に配置される。したがって、接続プレートは、軸方向Ａにおいてカバーキャップ１１２およびペイン１１０の両方に隣接する。径方向Ｒで見たとき、接続プレート１１１は、支持要素３２の接触凹部４０の内側に載置され、支持要素３２の前記接触凹部４０とペイン１１０との間で径方向Ｒに配置される。これにより、接続プレート１１１は、ペイン１１０とプリント回路基板６０，６０’との間の接触の領域において、軸方向Ａで階段状になる。
【００７４】
カバーキャップ１１２は、少なくともロータユニット３０またはステータユニット１０の直径に対応する直径を有する。カバーキャップ１１２の半径の外側領域には、周方向に延びる連続的な環状溝が設けられており、この環状溝内で環状シール１１３が静止している。カバーキャップ１１２は、ペイン１１０上に載置されている。カバーキャップ１１２及びペイン１１０は、ロータユニット３０及びステータユニット１０に対して同心に配置される。ペイン１１０は、カバーキャップ１１２と接続プレートまたは支持要素との間にクランプされる。
【００７５】
駆動装置１のベースプレート５０は、環状ベース本体１２０の内径１２２上に配置され、環状ベースプレート１２０内で径方向内向きに突出する。駆動装置１のベースプレート５０のために、環状ベース本体１２０に向かって突出するカバーハウジング１３０が設けられ、駆動装置１のロータユニット３０は、少なくとも部分的にカバーハウジング１３０を通って突出する。環状ベース本体１２０は、駆動装置１のリード線８０のための通路１２３を有する。
【００７６】
カバーハウジング１３０は、Ｌ字形接続プレート１１１の短い部分内へと軸方向に突出する。ベースプレート５０とカバーハウジング１３０との間にはシール１３１が配置されている。カバーハウジング１３０は、ベースプレート５０とは反対の側で少なくとも部分的にプリント回路基板６０，６０’およびステータユニット１０を囲む。さらに、プリント回路基板６０，６０’およびその上に配置された開ループおよび／または閉ループ制御回路６２、ならびにステータユニット１０の要素は、ポッティング化合物７０で封入することができる。
【００７７】
本発明は、上述した実施形態の１つに限定されず、多くの方法で変更することができる。
【００７８】
構造的詳細、空間的配置、および方法ステップを含む、特許請求の範囲、明細書、および図面から生じる特徴および利点のすべては、個々に、および多種多様な組合せの両方で、本発明にとって不可欠である。
【００７９】
【符合の説明】
【００８０】
1…駆動装置、10…ステータユニット、11…コイル、12…コイルコア、13…コイルボビン、14…収容空間、15…突起、16…コイルコア要素、17…凹部、30…ロータユニット、31…軸受ユニット、32…支持要素、33…接触領域、34…永久磁石、35…軸受ボルト、36…玉軸受、37…シャフト部、38…接触フランジ、39…フランジ部分、40…接触凹部、50…ベースプレート、51…凹部、52…環状窪み、53…環状凹部、54…円形部分、55…矩形部分、56…外周、60…プリント回路基板、61…凹部、62…開および／または閉ループ回路、63…輪郭、60…更なるプリント回路基板、70…ポッティング化合物、80…リード線、100…スピン窓、110…ペーン、111…接続プレート、112…カバーキャップ、113…環状シール、114…周囲、115…カラー、116…案内溝、120…ベース本体、121…案内突起、122…内径、123…通路、130…カバーハウジング、131…シール、Ａ…軸方向、Ｒ…径方向、Ｓ…隙間、ＲＳ…環状隙間。
【図１】
2021525501.tif 000003
【図２】
2021525501.tif 000004
【図３】
2021525501.tif 000005
【図４】
2021525501.tif 000006
【国際調査報告】
2021525501.tif 000007
2021525501.tif 000008
2021525501.tif 000009
2021525501.tif 000010
2021525501.tif 000011
2021525501.tif 000012